(57)【特許請求の範囲】
【請求項１】
CATV伝送網の分岐路を第一のリレー（１）によって二分岐して一方を第一分岐路（２）、他方を第二分岐路（３）とし、第一分岐路（２）をさらに二分配して個々の分岐出力端（４）に接続し、第二分岐路（３）をさらに二分配して一方を第三分岐路（５）、他方を第四分岐路（６）とし、第三分岐路（５）を前記第一分岐路（２）に接続し、第四分岐路（６）を第二のリレー（７）によってさらに二分岐して一方を第五分岐路（８）、他方を第六分岐路（９）とし、第五分岐路（８）を前記分岐出力端（４）とは別の分岐出力端（４）に接続し、第六分岐路（９）をさらに二分配して一方を第七分岐路（１０）、他方を第八岐路（１１）とし、第七分岐路（１０）を前記分岐出力端（４）とは別の分岐出力端（４）に接続し、第八分岐路（１１）を前記第五分岐路（８）に接続し、前記第一のリレー（１）及び第二のリレー（７）をセンターからステータスモニタ（１２）を通して切替可能としたことを特徴とするCATVシステムにおける分岐端子切替システム。
【発明の詳細な説明】
【０００１】
【発明の属する技術分野】
本発明は、CATVシステムにおける分岐端子切替システムに関するものである。具体的には信号を複数の線路に分岐したり、分配したりすることが可能な分岐増幅器や分配増幅器といった増幅器の分岐端子切替システムに関するものである。
【０００２】
【従来の技術】
CATV用増幅器の一例として幹線分岐増幅器や分配増幅器がある。この種の増幅器は図２に示すように、幹線入力端子（TA IN）Ａ、増幅回路Ｂ、幹線出力端子（TA OUT）Ｃ、分岐器Ｄ、２以上の分岐出力端Eを備え、幹線から前記幹線入力端子Ａに入力された下り信号を増幅回路Ｂで所定レベルに増幅し、増幅された下り信号を幹線出力端子Ｃから幹線に出力すると共に、増幅された下り信号の一部を分岐器Ｄで分岐し、分岐された下り信号を増幅回路Fで増幅してから分岐出力端Ｅの数に応じて分配して夫々の分岐出力端Ｅから出力するものである。
【０００３】
【発明が解決しようとする課題】
前記従来のCATV用増幅器には次のような課題があった。
（１）この種のCATV用増幅器には夫々の仕様に応じて所定数の分岐出力端が設けられている（前記図２に示すものには４分岐出力端）が、場合によってはこれら分岐出力端の全てが使用されるとは限らず、一部は使用されずに盲栓によって閉じられている。しかし、分岐器Dによって分岐された下り信号は使用分岐出力端の数ではなく、未使用分岐出力端も含めた全分岐出力端の数に分配されるので、使用分岐出力端の出力が低下し、しかも、未使用分岐出力端に分配された場合には不要な分配ロスとなる。通常、２分配する度に約４dBの分配ロスが発生する。従って、図２に示す従来のCATV用増幅器は、分岐器Dで分岐された下り信号を図中の分配器Ｘで２分配し、さらに分配器Ｙ及び分配器Ｚで夫々２分配するので、各分岐出力端の出力は使用分岐出力端数に拘らず常に８dBの分配ロスとなる。
【０００４】
【課題を解決するための手段】
本発明の目的は、実際に使用されている分岐出力端にのみ信号を分岐又は分配することによって、未使用分岐出力端に分岐又は分配することによるロスを無くし、使用分岐出力端から出力される信号の高出力化を図ることが可能なCATVにおける分岐端子切替システムを提供することにある。
【０００５】
本件出願のCATVシステムにおける分岐端子切替システムは、CATV伝送網の分岐路を第一のリレーによって二分岐して一方を第一分岐路、他方を第二分岐路とし、第一分岐路をさらに二分配して個々の分岐出力端に接続し、第二分岐路をさらに二分配して一方を第三分岐路、他方を第四分岐路とし、第三分岐路を前記第一分岐路に接続し、第四分岐路を第二のリレーによってさらに二分岐して一方を第五分岐路、他方を第六分岐路とし、第五分岐路を前記分岐出力端とは別の分岐出力端に接続し、第六分岐路をさらに二分配して一方を第七分岐路、他方を第八岐路とし、第七分岐路を前記分岐出力端とは別の分岐出力端に接続し、第八分岐路を前記第五分岐路に接続し、前記第一のリレー及び第二のリレーをセンターからステータスモニタを通して切替可能としたものである。
【０００６】
【発明の実施の形態】
（実施形態１）
以下、本発明のCATVシステムにおける分岐端子切替システムの実施形態の一例を説明する。この分岐端子切替システムはCATV網の幹線に図１に示す幹線分岐増幅器を接続することによって実現される。
【０００７】
図１に示す幹線分岐増幅器は、下り信号が入力される幹線入力端子２０（TA IN）、入力された下り信号を所定レベルに増幅する増幅回路２２、２４、増幅回路２２、２４によって増幅された下り信号が出力される幹線出力端子３０（TA OUT）、増幅回路２２、２４に増幅された下り信号の一部を分岐する分岐器２６、分岐器２６によって分岐され、分岐路３２に出力された下り信号を増幅する増幅回路２８、増幅回路２８によって増幅された信号が分岐される第一〜第八の分岐路２、３、５、６、８、９、１０、１１、４つの分岐出力端４を備えている。
【０００８】
具体的には、増幅回路２８の出力側には第一のリレー１（以下「第一リレー１」）が配置され、分岐路３２はそのリレー１によって第一分岐路２と第二分岐路３に二分岐されている。第一分岐路２の途中には増幅回路３４が挿入され、その先で二分配されて個々の分岐出力端４1、４2に接続されている。第二分岐路３はさらに二分配されて一方が第三分岐路５、他方が第四分岐路６とされている。第四分岐路６の途中には増幅回路３６が挿入され、その先に第二のリレー７（以下「第二リレー７」）が配置され、そのリレー７によって二分岐されて、さらに第五分岐路８と第六分岐路９に分岐され、第５分岐路８は前記分岐出力端４1、４2とは別の分岐出力端４3に接続されている。第六分岐路９はさらに二分配されて一方が第七分岐路１０、他方が第八分岐路１１とされ、第七分岐路１０は前記分岐出力端４1、４2、４3とは別の分岐出力端４4に接続され、第八分岐路１１は前記第五分岐路８に接続されている。
【０００９】
前記第一リレー１及び第二リレー７は図１に示すステータスモニタユニット１２によって切替制御されており、センターからの指令に基づいてステータスモニタユニット１２が第一リレー１を第一分岐路１側に切替えると、前記分岐器２６によって分岐され、増幅回路２８によって増幅された下り信号は増幅回路３４に入力され、同増幅回路３４によって再度増幅されてから二分配されて個々の分岐出力端４1又は４2から出力される。この際、他の分岐出力端４3、４4への出力はない。換言すれば、増幅回路２８から出力された下り信号が分岐出力端４3、４4へ出力するために分岐又は分配されることはない。
【００１０】
また、ステータスモニタユニット１２が第一リレー１を第二分岐路３側に切替え、第二リレー７を第五分配路８側に切替えると、前記分岐器２６によって分岐され、増幅回路２８によって増幅された下り信号の一部は第二分岐路３に送り込まれ、その先で二分配されて、一方は第三分岐路５を経由して前記第一分岐路２に送り込まれて分岐出力端４1又は４2から出力される。他方は増幅回路３６に入力されて増幅された後に、第二リレー７によって第五分岐路８に送り込まれて分岐出力端４3から出力される。この際、分岐出力端４4への出力はない。換言すれば、増幅回路２８から出力された下り信号が分岐出力端４4へ出力するために分岐又は分配されることはない。
【００１１】
さらに、ステータスモニタユニット１２が第一リレー１を第二分岐路３側に切替え、第二リレー７を第六分岐路９側に切替えると、前記分岐器２６によって分岐され、増幅回路２８によって増幅された下り信号の一部は第二分岐路３に送り込まれ、その先に二分配され、一方は一方は第三分岐路５を経由して前記第一分岐路２に送り込まれて分岐出力端４1又は４2から出力される。他方は増幅回路３６に入力されて増幅された後に、第二リレー７によって第六分岐路９に送り込まれ、その先で二分配されて、一方は第八分岐路１１を経由して第五分岐路に送り込まれて分岐出力端４3から出力され、他方は第七分岐路１０に送り込まれて分岐出力端４4から出力される。
【００１２】
以上によって、使用分岐出力端数が２つの場合にはセンターからステータスモニタユニット１２へ指令を送って第一リレー１を第一分岐路２側に切替えれば分岐出力端４1及び４2から分岐出力が得られると共に、不必要な分岐又は分配が回避される。具体的には、分岐出力端４1及び４2から出力される下り信号は１回しか分配されていないため、図２に示す従来のCATV用増幅器に比べて分配数が１回少なく、その分だけ分配ロスが減り、高出力となる。また、ステータスモニタユニット１２によって不必要な増幅回路３６の電源をOFFにすることによって消費電力の低減を図ることもできる。
【００１３】
また、使用分岐出力端数が３つの場合には、センターから前記ステータスモニタユニット１２へ指令を送って第一リレー１を第二分岐路３側へ、第二リレー７を第五分岐路８側に切替えれば分岐出力端４1、４2、４3の夫々から分岐出力が得られると共に、不必要な分岐又は分配が回避される。
【００１４】
さらに、使用分岐出力端数が４つの場合には、センターから前記ステータスモニタユニット１２へ指令を送って第一リレー１を第二分岐路３側へ、第二リレー７を第六分岐路９側へ切替えれば分岐出力端４1、４2、４3、４4の全てから分岐出力が得られる。
【００１５】
本実施形態では、CATV網の幹線に図１に示す幹線増幅器を接続することによって、本発明の分岐端子切替システムを実現したが、本発明を実現するためのCATV機器は図１に示す幹線増幅器に限定されず、同様の機能を備えたCATV機器であれば如何なる機器であってもよい。
【００１６】
【発明の効果】
本発明の分岐端子切替システムによれば、従来システムが未使用分岐出力端を含め全ての分岐出力端に出力していたのに対し、使用分岐出力端にのみ分岐出力を出力することによって、分岐数又は分配数を最低数に抑え、分岐又は分配ロスの可及的に低減することができる。
【図面の簡単な説明】
【図１】本発明のCATVシステムにおける分岐端子切替システムを実現するための増幅器の一例を示すブロック図。
【図２】従来の幹線分岐増幅器の一例を示すブロック図。
【符号の説明】
１  第一リレー
２  第一分岐路
３  第二分岐路
４  分岐出力端
５  第三分岐路
６  第四分岐路
７  第二リレー
８  第五分岐路
９  第六分岐路
１０  第七分岐路
１１  第八分岐路
【図１】
0003766311.tif 000002
【図２】
0003766311.tif 000003